(57)【要約】【課題】　座る人とシートの間に敷いてその人の身体的特徴や好みの部位に合わせたマッサージを施すことのできるシートマットを提供する。【解決手段】　シートマット（１）を、マット本体（３）と、マット本体に対して剥離自在に接着するフレキシブルカバー（７）と、により構成する。フレキシブルカバーの長さをマット本体の長さより長く形成したことにより生じる両者間の空間（Ｇ）内に電動バイブレーター（３１）を内蔵した柱状クッション（２５）を挿入する。マット本体とフレキシブルカバーとの接着部分と剥離部分を順送りすることにより空間（Ｇ）の位置を移動させることにより柱状クッションの位置を身体的特徴や好みの部位に合わせて変更することができる。【選択図】　図１
0003100677.tif 000002
【実用新案登録請求の範囲】
【請求項１】
　人が座るシートと、当該座る人と、の間に敷くシートマットであって、
　マット本体と、
　当該マット本体表面幅方向ほぼ中央において幅方向に所定間隔をあけて平行に配した２筋のマット側帯状ファスナーと、
　当該マット側帯状ファスナーの各々と剥離自在に接着する２筋のカバー側帯状ファスナーを裏面幅方向両側に備えるフレキシブルカバーと、
　当該フレキシブルカバーの幅寸法とほぼ同じ又は僅かに大きな長さ寸法に形成した柱状クッションと、
　当該柱状クッションに内蔵させた電動バイブレーターと、を備え、
　当該カバー側帯状ファスナーの各々の長さ寸法が、当該マット側帯状ファスナーの各々の長さ寸法よりも余剰部分だけ長く設定してあり、当該余剰部分が、当該カバー側帯状ファスナーの各々と当該マット側帯状ファスナーの各々との間に当該柱状クッションを横向き挿入可能な空間を形成可能に構成してある
　ことを特徴とするシートマット。
【請求項２】
　前記マット本体が、背もたれ付きシートの当該背もたれの上に敷くように構成してある
　ことを特徴とする請求項１記載のシートマット。
【請求項３】
　前記マット本体が、背もたれ部と座部とにより構成してあり、
　前記マット側帯状ファスナーの各々が、少なくとも当該背もたれ部に設けてある
　ことを特徴とする請求項１記載のシートマット。
【請求項４】
　前記フレキシブルカバーが、前記マット本体上端から延長部分だけ長く形成してあり、
　当該延長部分が、車両用シートのヘッドレストをカバー可能に構成してある
　ことを特徴とする請求項１乃至３何れか記載のシートマット。
【請求項５】
　前記柱状クッションが、前記フレキシブルカバーの外側から前記柱状クッションを前記ヘッドレスト近傍に装着可能とするための結束バンドを備えている
　ことを特徴とする請求項４記載のシートマット。
【請求項６】
　前記電動バイブレーターが、自動車バッテリーにより駆動可能に構成してある
　ことを特徴とする請求項４又は５記載のシートマット。
【考案の詳細な説明】
【技術分野】
【０００１】
　この考案は、車両用シート、事務椅子、劇場椅子、座椅子等の人が座るシートの上に敷くシートマットに関するものである。
【背景技術】
【０００２】
　特許文献１には、運転シートの座部と背もたれ部の各々に、マッサージ手段を設けたものが開示されている。マッサージ手段は、運転に疲れた運転者の身体をマッサージして疲労回復を図ることを目的としている。
【特許文献１】実開平６−４４４６５号公報（０００５、０００６、図１参照）
【考案の開示】
【考案が解決しようとする課題】
【０００３】
　しかしながら、運転者の身体は人によって異なり、座高の高い者もいれば、逆に低い者もいる。さらに、疲労を感じる身体の部位にも個人差がある。したがって、ある人にとっては適所に設けられたマッサージ手段であっても、他の人にとっては適所から外れたところにある場合が多い。このことは、運転シート以外のシートについても同じである。そこで、本考案は、座る人とシートの間に敷いてその人の身体的特徴や好みの部位に合わせたマッサージを施すことのできるシートマットを提供することを目的とする。
【課題を解決するための手段】
【０００４】
　上記の目的を達成するために考案者は、電動バイブレーターを内蔵させた柱状クッションを用いて人の身体をマッサージするように構成するとともに、この柱状クッションをシートマット、すなわちシートに対して移動可能とする方法を開発した。その詳しい内容については、項を改めて説明する。なお、何れかの請求項に係る考案を説明するに当たって行う用語の定義等は、その性質上可能な範囲において他の請求項に係る考案にも適用されるものとする。
【０００５】
　（請求項１記載の考案の特徴）
　請求項１記載の考案に係るシートマットは、人が座るシートと、当該座る人と、の間に敷くシートマットである。このシートマットは、マット本体と、当該マット本体表面幅方向ほぼ中央において幅方向に所定間隔をあけて平行に配した２筋のマット側帯状ファスナーと、当該マット側帯状ファスナーの各々と剥離自在に接着する２筋のカバー側帯状ファスナーを裏面幅方向両側に備えるフレキシブルカバーと、当該フレキシブルカバーの幅寸法とほぼ同じ又は僅かに大きな長さ寸法に形成した柱状クッションと、当該柱状クッションに内蔵させた電動バイブレーターと、を備えている。そして、当該カバー側帯状ファスナーの各々の長さ寸法が、当該マット側帯状ファスナーの各々の長さ寸法よりも余剰部分だけ長く設定してあり、当該余剰部分が、当該カバー側帯状ファスナーの各々と当該マット側帯状ファスナーの各々との間に当該柱状クッションを横向き挿入可能な空間を形成可能に構成してある。
【０００６】
　請求項１のシートマットによれば、電動バイブレーターの振動が柱状クッションを介して座る者の身体をマッサージする。柱状クッションの保持は、カバー側帯状ファスナーの各々とマット側帯状ファスナーの各々との間の空間に当該柱状クッションを横向き挿入することにより行う。つまり、余剰部分に係る部分では、カバー側帯状ファスナーとマット側帯状ファスナーとの間で接着が行われず、それにより、フレキシブルカバーが人の身体方向に膨らんで空間が形成されることになり、この空間が柱状クッションを受け入れる。余剰部分以外の部分は、カバー側帯状ファスナーとマット側帯状ファスナーとの間の接着が行われ、この接着が柱状クッションをその位置に保持する。この余剰部分は、ファスナー間の接着部分を剥離して剥離していた部分を接着させることによりシートマットの縦方向に尺取虫が歩くように移動させることができ、この移動により、柱状クッションの保持位置を変更することができる。柱状クッションの保持位置を適切に変更すれば、人の身体的特徴や好みの部位に合わせたマッサージを実現させることができる。
【０００７】
　（請求項２記載の考案の特徴）
　請求項２記載の考案に係るシートマットは、請求項１のシートマットであって、前記マット本体が、背もたれ付きシートの当該背もたれの上に敷くように構成してある。
【０００８】
　請求項２のシートマットによれば、請求項１のシートマットの作用効果が、背もたれについて、すなわち、座る人の背中に対して生じる。シートマット自体のシートに対する保持は、人の背中でシートマットを押えつけることにより行う。
【０００９】
　（請求項３記載の考案の特徴）
　請求項３記載の考案に係るシートマットは、請求項１のシートマットであって、前記マット本体が、背もたれ部と座部とにより構成してあり、前記マット側帯状ファスナーの各々が、少なくとも当該背もたれ部に設けてある。
【００１０】
　請求項３のシートマットによれば、シートの座部の上にもシートマットが敷かれることになり、請求項１のシートマットの作用効果が少なくとも座る人の背中に対して生じる。座部にも柱状マットを移動させることができるように構成した場合は、人のももや足の一部に対しても生じる。
【００１１】
　（請求項４記載の考案の特徴）
　請求項４記載の考案に係るシートマットは、請求項１乃至３何れかのシートマットであって、前記フレキシブルカバーが、前記マット本体上端から延長部分だけ長く形成してあり、当該延長部分が、車両用シートのヘッドレストをカバー可能に構成してある。
【００１２】
　請求項４のシートマットによれば、請求項１乃至３何れかのシートマットの作用効果に加え、フレキシブルカバーの延長部分が、車両用シートのヘッドレストをカバーするので、ヘッドレストの汚れを防止したりヘッドレストのクッション性を高めたりする効果がある。さらに、マット本体とヘッドレストとを、デザイン的に一体化する。
【００１３】
　（請求項５記載の考案の特徴）
　請求項５記載の考案に係るシートマットは、請求項４のシートマットであって、前記柱状クッションが、前記フレキシブルカバーの外側から前記柱状クッションを前記ヘッドレスト近傍に装着可能とするための結束バンドを備えている。
【００１４】
　請求項５のシートマットによれば、請求項４のシートマットの作用効果に加え、フレキシブルカバーの下から取り出した柱状クッションを単独でヘッドレスト近傍に装着することができる。柱状クッションの装着は、結束バンドにより行うことができる。
【００１５】
　（請求項６記載の考案の特徴）
　請求項６記載の考案に係るシートマットは、請求項４又は５のシートマットであって、前記電動バイブレーターが、自動車バッテリーにより駆動可能に構成してある。
【００１６】
　請求項６のシートマットによれば、請求項４又は５のシートマットの作用効果に加え、自動車バッテリーで駆動できるため自動車内における長時間の使用を可能とする。
【考案の効果】
【００１７】
　本考案によれば、座る人とシートの間に敷いてその人の身体的特徴や好みの部位に合わせたマッサージを施すことができる。
【考案を実施するための最良の形態】
【００１８】
　各図を参照しながら、本考案の実施の形態について説明する。図１は、使用状態を示すシートマットの斜視図である。図２はシートマットの正面図（ａ）及び背面図（ｂ）である。図３は、図１に示すシートマットの右側面図である。図４は、柱状クッションの使用状態を示す斜視図である。
【００１９】
　（シートマットの適用例）
　図１に基づいて説明する。本実施形態に係るシートマット１は、車両用シート１０１に適用するように構成してある。車両用シート１０１は、運転者や同乗者が座るシート座部１０３と、同じく背をもたれさせるシート背もたれ部１０５と、同じく頭をあてがうヘッドレスト１０７と、により概ね構成してある。シートマット１は、結束バンド２１により車両用シート１０１に固定するようになっている。車両用シート１０１の寸法や形態の違い（例えば、２人用シート）があるときは、それらに合わせてシートマット１を変形してよい。車両用シートだけでなく、事務椅子、劇場椅子及び座椅子などに適用させる場合も、本実施形態とほぼ同じ基本構造を採用することができる。
【００２０】
　（シートマットの基本構造）
　図１乃至４に基づいて説明する。シートマット１は、マット本体３と、マット本体３の幅方向略中央において縦方向に延びるフレキシブルカバー７と、フレキシブルカバー７の幅寸法とほぼ同じ（僅かに長くてもよい）長さ寸法を有する柱状クッション２５と、により構成してある。さらに、マット本体３は、座部４と、座部４に対して屈曲自在な背もたれ部５と、からなり、全体として薄手のクッション材を主素材として構成してある。フレキシブルカバー７の縦方向長さは、マット本体３の縦方向長さよりも長く、すなわち、マット本体３に対してたるむ部分が生じるように構成してある。ここで、座部４に対応して生じるフレキシブルマット７のたるむ部分を余剰部１０とよび、背もたれ部５に対して同じくたるむ部分を余剰部１２と呼ぶことにする。
【００２１】
　マット本体３へのフレキシブルカバー７の装着は、後者の裏面、すなわち、マット本体３と対向する面の幅方向両側と、これらに対応する前者の表面２箇所に設けた帯状ファスナー１５により、行っている。すなわち、帯状ファスナー１５は、マット本体３の表面幅方向ほぼ中央において幅方向に所定間隔をあけて平行に配した２筋のマット側帯状ファスナー１７と、これらのマット側帯状ファスナー１７の各々と剥離自在に接着させるためにフレキシブルカバー７の裏面幅方向両側に設けた２筋のカバー側帯状ファスナー１９とにより構成してある。前述したようにフレキシブルカバー７の縦方向を、マット本体３に対してたるむ部分が生じる長さに構成してあるが、このため、余剰部１０及び余剰部１２に対応する長さ分だけカバー側帯状ファスナー１９をマット側帯状ファスナー１７よりも長く構成してある。このため、余剰部１０，１２に対応するカバー側帯状ファスナー１９が、マット側帯状ファスナー１７と接着せずに運転者等の身体方向に膨らんだ浮き状態を構成する。この浮き状態に空間Ｇ１０及びＧ１２が形成される。
【００２２】
　（フレキシブルカバーの詳細構造）
　フレキシブルカバー７は、カバー座部９と、カバー背もたれ部１１と、カバー背もたれ部１１から上方（ヘッドレスト１０７の方向）に延長させた延長部１３と、から構成してある。カバー座部９とカバー背もたれ部１１とは、連続していても各々が独立していても構わない。本実施形態では、カバー座部９及びカバー背もたれ部１１の、それぞれ隣接する縁に補強用の縫込みを幅方向に施してあるため、帯状ファスナー１５の接着剥離という機能の上で、両者が独立していることになる。フレキシブルカバー７は、運転者等の身体に触れる部分であるから、肌触りが柔らかで衣服との摩擦が少ない、たとえば、パイル地等の布で構成するのが好ましい。もっとも、後述するようにフレキシブルカバー７は、柱状クッション２５を収納することを主目的とするものであるから、その目的が達成できるのであれば、布の素材や仕上げが違っていても構わない。合成樹脂製のフレキシブルなメッシュ等を採用することもできる。さらに、フレキシブルカバー７の色彩や柄なども自由に設定してよい。本実施形態では、シートマット１と異なるトーンの素材により構成して、フレキシブルカバー７がシートマット１に対してアクセントとなるようにデザインしたが、たとえば、両者を同系色に統一してフレキシブルカバー７を目立たせないように、また、適当な絵柄を施して個性主張が可能となるようにデザインしてもよい。
【００２３】
　延長部１３は、ヘッドレスト１０７をカバーするための部分であり、その結束は、結束バンド１４により行うようになっている（図２参照）。延長部１３は、たとえば、シートがヘッドレストを有しない事務椅子や劇場椅子等の場合、或いはヘッドレストはあるがカバーを望まない場合には、これを省略することができる。なお、符合２３は、後述する電源スイッチ３３や電源コンセント３５を収納するためのポケットを示している。
【００２４】
　（柱状クッションの構造）
　柱状クッション２５は、たとえば、半円筒状に形成したスポンジのようなクッション材を肌触りのよい布により覆うことにより構成してある。柱状クッション２５は、前述したように、フレキシブルカバー７の幅寸法とほぼ同じ長さ寸法に形成してある。半円筒状に形成したのは、図３に示すように、曲面部を運転者側に向かせ、平面部をマット本体３側に向かせるためである。前者は、使用時において運転者等の大腿部や背中にあてがったときに、たとえば、角柱状に形成したものに比べてより柔らかい感触を与えるためである。また、後者は、マット本体３に対して、曲面よりも安定度が高いからである。柱状クッション２５内には、電動バイブレーター３１を埋め込んである。電動バイブレーター３１の振動は、クッション材を介して運転者等の身体をマッサージする。柱状クッション２５のクッション性は、運転者等の身体の重みを受けて適度に凹ませ、これにより、バイブレーター３１の振動が適度に運転者等の身体に及ぶように、クッション材の硬さや電動バイブレーター３１の振動強度を設定しておく。電動バイブレーター３１は、コンセント３５を介してカーバッテリーから電力を受け、スイッチ３３により起動停止するように構成してある。電動バイブレーター３１を家庭で使用するのであれば、家庭用電源から電力の供給を受けるための電源装置（図示を省略）を用意すればよい。
【００２５】
　（シートマットの使用方法）
　図１乃至４に基づいて説明する。まず、シートマット１の使用を行う運転者等は、シートマット１を車両用シート１０１の上に敷き、結束バンド２１を使って固定する。延長部１３は、ヘッドレスト１０７の上に掛け回して結束バンド１４により固定する。ここで、たとえば、運転中の運転者は、車両の停車時に疲れを感じたら、その疲れを感じた部分に柱状クッション２５を移動する。具体的には、車両のシガーライターの受け部（図示を省略）に差し込んでスイッチ３３を入れる。これで、電動バイブレーター３１が起動する。電動バイブレーター３１は、マット側帯状ファスナー１７とカバー側帯状ファスナー１９とが剥離された部分、すなわち、余剰部１０，１２に対応する空間Ｇ１０，Ｇ１２に挿入する。前述したように柱状クッション２５は、フレキシブルカバー７の幅寸法とほぼ同じ長さ寸法に形成してあるため、左右のバランスを取りながら柱状クッション２５を挿入配置すれば両端がマット側帯状ファスナー１７とカバー側帯状ファスナー１９との間に位置することになる。すなわち、マット側帯状ファスナー１７とカバー側帯状ファスナー１９の接着を、柱状クッション２５の両端が阻止する状態になる。これを柱状クッション２５側から見れば、フレキシブルカバー７とマット本体３との間の空間Ｇ１０及びＧ１２に柱状クッション２５が保持されたことになる。空間Ｇ１０及びＧ１２は、それぞれ接着していた部分のカバー側帯状ファスナー１９をマット側帯状ファスナー１７から剥離して剥していた部分を接着させることにより、フレキシブルカバー７を尺取虫のようにくねらせて縦方向に移動させることができる。すなわち、柱状クッション２５を求める位置に移動して運転者等の身体的特徴や好みの部位に合わせたマッサージを可能とする。
【００２６】
　図３及び４に示すように、柱状クッション２５をフレキシブルカバー７の下から抜き出して単独で使用することもできる。柱状クッション２５は、結束バンド２７を有しているので、この結束バンド２７を使用してヘッドレスト１０７近傍にフレキシブルカバー７の上から装着すれば、運転者等の首筋等をマッサージすることができる。
【００２７】
　本実施形態では、座部４及び背もたれ部５の双方に柱状クッション２５を挿入するように構成してあるが、これを座部４又は背もたれ部５の何れか一方のみとしてもよい。ただ、疲れを感じるのは背中から腰にかけてのものが大部分であろうから、背もたれ部５に設けるほうが一般的であろう。さらに、座部を省略して背もたれ部だけでシートマットを構成しても構わない。この場合は、柱状クッション２５を有する背もたれ部５を運転者等と車両用シート１０１のシート背もたれ部１０５との間に挟んで使用することになる。
【図面の簡単な説明】
【００２８】
【図１】使用状態を示すシートマットの斜視図である。
【図２】シートマットの正面図（ａ）及び背面図（ｂ）である。
【図３】図１に示すシートマットの右側面図である。
【図４】柱状クッションの使用状態を示す斜視図である。
【符号の説明】
【００２９】
　　　１　　　　　　　シートマット
　　　３　　　　　　　マット本体
　　　４　　　　　　　座部
　　　５　　　　　　　背もたれ部
　　　７　　　　　　　フレキシブルカバー
　　　９　　　　　　　カバー座部
　　１０　　　　　　　余剰部
　　１１　　　　　　　カバー背もたれ部
　　１２　　　　　　　余剰部
　　１３　　　　　　　延長部
　　１４　　　　　　　結束バンド
　　１５　　　　　　　帯状ファスナー
　　１７　　　　　　　マット側帯状ファスナー
　　１９　　　　　　　カバー側帯状ファスナー
　　２１　　　　　　　結束バンド
　　２３　　　　　　　ポケット
　　２５　　　　　　　柱状クッション
　　２７　　　　　　　結束バンド
　　３１　　　　　　　電動バイブレーター
　　３３　　　　　　　スイッチ
　　３５　　　　　　　コンセント
　１０１　　　　　　　車両用シート
　１０３　　　　　　　シート座部
　１０５　　　　　　　シート背もたれ部
　１０７　　　　　　　ヘッドレスト
【図１】
0003100677.tif 000003
【図２】
0003100677.tif 000004
【図３】
0003100677.tif 000005
【図４】
0003100677.tif 000006